(57)【要約】      （修正有）【課題】極めて簡単な手段で写真の整理に際して好適な写真帳保持具を提供する。【解決手段】強靭紙１を素材として背表紙板２の両側に第１折線３，３、第２折線４，４、第３折線５，５を介して表表紙板６，６、表裏紙板７，７、折込紙舌板８，８を連設形成すると共に表表紙板の上下に第４折線９，９、９，９を介して折込紙横板１０，１０、１０，１０を連設形成し、且つ表表紙板の上下に第４折線を介して連設形成した折込紙横板は背表紙板の両側に設けた第１折線３，３の箇所まで位置しない切欠部１１，１１、１１，１１を有して表表紙板の横幅よりも短い寸法幅イ，イ、イ，イに形成し、且つ又第２折線を介して表表紙板に連設形成した表裏紙板の横幅である第２折線と第３折線までの寸法は折込紙横板の寸法幅イと同一の寸法に形成して写真帳保持具を組立てることが出来る扁平状保持具板体１９を構成したことを特徴としている。【選択図】図１
0003138135.tif 000002
【実用新案登録請求の範囲】
【請求項１】
強靭紙１を素材として背表紙板２の両側に第１折線３，３、第２折線４，４、第３折線５，５を介して表表紙板６，６、表裏紙板７，７、折込紙舌板８，８を連設形成すると共に表表紙板６，６の上下に第４折線９，９、９，９を介して折込紙横板１０，１０、１０，１０を連設形成し、且つ表表紙板６，６の上下に第４折線９，９、９，９を介して連設形成した折込紙横板１０，１０、１０，１０は背表紙板２の両側に設けた第１折線３，３の箇所まで位置しない切欠部１１，１１、１１，１１を有して表表紙板６，６の横幅よりも短い寸法幅イ，イ、イ，イに形成し、且つ又第２折線４，４を介して表表紙板６，６に連設形成した表裏紙板７，７の横幅である第２折線４，４と第３折線５，５までの寸法は折込紙横板１０の寸法幅イと同一の寸法に形成して扁平状保持具板体１９を構成し、更に第４折線９，９、９，９を介して折込紙横板１０，１０、１０，１０を内方に折込むと共に第２折線４，４を介して表裏紙板７，７を内方に折込み、又更に第３折線５，５を介して折込紙舌板８，８を内方に折込むと共に該折込紙舌板８，８を折込紙横板１０，１０、１０，１０の折込に伴って形成された表表紙板６，６と折込紙横板１０，１０、１０，１０との間に形成された間隙部１３，１３、１３，１３に挿入することによって表表紙板６，６と表裏紙板７，７との間に写真帳取付挿入部２２，２２が形成され、更に第１折線３，３を介して表表紙板６，６を内方に折曲し形成したことを特徴とする写真帳保持具。
【考案の詳細な説明】
【技術分野】
【０００１】
この考案は、写真の整理に際して好適な写真帳保持具に関するものである。
【背景技術】
【０００２】
従来、撮影後のフイルム又はデジタルカメラにセットしたＳＤメモリーカード等の記録媒体を市中の写真店に現像を依頼すれば写真を収納するために図９、図１０に図示したように内部写真収納袋部を有した透明の合成樹脂板１４の数枚を表面板１５と裏面板１６との間に綴じ込んだ写真帳１７が現像した写真１８と一緒に渡されるものであるが、写真店より渡され又は販売されている内部写真収納袋部を有した透明の合成樹脂板１４の数枚を表面板１５と裏面板１６との間に綴じ込んだ写真店のサービス品である写真帳１７は多数冊となるために整理に面倒であり、一般に販売されているアルバムを購入しようとすると高価であり、安価に購入出来ず記念とする写真１８を紛失する等の支障を来すものである。
【０００３】
ところで、従来市中の写真店に現像を依頼した際に写真を収納してサービス品として渡される写真帳の数冊を保持する写真帳保持具は知られているが構造が複雑であると共に写真店からサービス品として渡される写真帳の取付けが面倒であり、安価に組立てて使用できない等の欠点を有するものである。
【特許文献１】公開特許２００１−１５０８５３
【考案の開示】
【考案が解決しようとする課題】
【０００４】
この考案は上記の問題点を解決したものであり、極めて簡単な手段で市中の写真店からサービス品として渡され又は販売されている数冊の写真帳の整理に際して好適な写真帳保持具を得ることを目的としたものである。
【課題を解決するための手段】
【０００５】
上記の目的を達成するためこの考案は、強靭紙１を素材として背表紙板２の両側に第１折線３，３、第２折線４，４、第３折線５，５を介して表表紙板６，６、表裏紙板７，７、折込紙舌板８，８を連設形成すると共に表表紙板６，６の上下に第４折線９，９、９，９を介して折込紙横板１０，１０、１０，１０を連設形成し、且つ表表紙板６，６の上下に第４折線９，９、９，９を介して連設形成した折込紙横板１０，１０、１０，１０は背表紙板２の両側に設けた第１折線３，３の箇所まで位置しない切欠部１１，１１、１１，１１を有して表表紙板６，６の横幅よりも短い寸法幅イ，イ、イ，イに形成し、且つ又第２折線４，４を介して表表紙板６，６に連設形成した表裏紙板７，７の横幅である第２折線４，４と第３折線５，５までの寸法は折込紙横板１０の寸法幅イと同一の寸法に形成して扁平状保持具板体１９を構成し、更に第４折線９，９、９，９を介して折込紙横板１０，１０、１０，１０を内方に折込むと共に第２折線４，４を介して表裏紙板７，７を内方に折込み、又更に第３折線５，５を介して折込紙舌板８，８を内方に折込むと共に該折込紙舌板８，８を折込紙横板１０，１０、１０，１０の折込に伴って形成された表表紙板６，６と折込紙横板１０，１０、１０，１０との間に形成された間隙部１３，１３、１３，１３に挿入することによって表表紙板６，６と表裏紙板７，７との間に写真帳取付挿入部２２，２２が形成され、更に第１折線３，３を介して表表紙板６，６を内方に折曲し形成したものである。
【考案の効果】
【０００６】
この考案は以上のような構成であり、弾力、ねばり、耐久力を有した強靭紙１を素材として背表紙板２の両側に第１折線３，３、第２折線４，４、第３折線５，５を介して表表紙板６，６、表裏紙板７，７、折込紙舌板８，８を連設形成すると共に表表紙板６，６の上下に第４折線９，９、９，９を介して折込紙横板１０，１０、１０，１０を連設形成し、且つ表表紙板６，６の上下に第４折線９，９、９，９を介して連設形成した折込紙横板１０，１０、１０，１０は背表紙板２の両側に設けた第１折線３，３の箇所まで位置しない切欠部１１，１１、１１，１１を有して表表紙板６，６の横幅よりも短い寸法幅イ，イ、イ，イに形成し、且つ又第２折線４，４を介して表表紙板６，６に連設形成した表裏紙板７，７の横幅である第２折線４，４と第３折線５，５までの寸法は折込紙横板１０の寸法幅イと同一の寸法に形成して扁平状保持具板体１９（図１参照）を構成したことによって強靭紙裁断機（図示せず）を介しての裁断時に強靭紙１に、第１折線３，３、第２折線４，４、第３折線５，５、第４折線９，９、９，９を形成すると同時に多数枚の扁平状保持具板体１９を安価大量に裁断形成することができるものである。
【０００７】
又、扁平状保持具板体１９の組立てに伴う写真帳保持具２０の形成は図２〜図６に図示したように第４折線９，９、９，９を介して折込紙横板１０，１０、１０，１０を内方に折込むと共に第２折線４，４を介して表裏紙板７，７を内方に折込み、又更に第３折線５，５を介して折込紙舌板８，８を内方に折込むと共に該折込紙舌板８，８を折込紙横板１０，１０、１０，１０の折込に伴って形成された表表紙板６，６と折込紙横板１０，１０、１０，１０との間に形成された間隙部１３，１３、１３，１３に挿入することによって表表紙板６，６と表裏紙板７，７との間に写真帳取付挿入部２２，２２が形成され、更に第１折線３，３を介して表表紙板６，６を内方に折曲し形成したことによって複雑な組立て手段を行うことなく、又糊等の貼着部材等を使用することなく折曲げ折込み操作のみの手段で写真帳１７の数冊を安定良く取付け保持することができる写真帳保持具２０の形成を極めて好適で円滑迅速に行うことができるものであると共に取付手段は適宜行われるものである。
【０００８】
又、写真帳１７の写真帳保持具２０に対する取付けは、まず図１０に図示したように写真帳１７の表面板１５と裏面板１６を重ね合わせ、この重ね合わせた表面板１５，裏面板１６とを図８に図示したように写真帳取付挿入部２２，２２に差込むことで写真帳保持具２０に対する写真帳１７の取付けを確実とすると共に安定良く保持出来るもので数冊の写真帳１７を立設した状態で机上又は本立て等に保管整理することができるものである。
【０００９】
又、扁平状保持具板体１９の構成では表表紙板６，６の上下に第４折線９，９、９，９を介して連設形成した折込紙横板１０，１０、１０，１０は背表紙板２の両側に設けた第１折線３，３の箇所まで位置しない切欠部１１，１１、１１，１１を有して表表紙板６，６の横幅よりも短い寸法幅イ，イ、イ，イに形成し、且つ又第２折線４，４を介して表表紙板６，６に連設形成した表裏紙板７，７の横幅である第２折線４，４と第３折線５，５までの寸法は折込紙横板１０の寸法幅イと同一の寸法に形成したことによって写真帳保持具２０に写真帳１７の取付ける取付時に写真帳１７を取付けるに際して表面板１５と裏面板１６とを重ね合わせた部分の写真帳取付挿入部２２，２２への挿入時に挿入口が広く形成されて挿入操作を簡便確実に行うことができるものである。
【００１０】
以上のように、この考案は撮影後のフイルム又はデジタルカメラにセットしたＳＤメモリーカード等の記録媒体を市中の写真店に現像を依頼すれば写真を収納するために図９、図１０に図示したように内部写真収納袋部を有した透明の合成樹脂板１４の数枚を表面板１５と裏面板１６との間に綴じ込んだ写真帳１７がサービス品として現像した写真１８と一緒に渡された際に、写真店より渡される内部写真収納袋部を有した透明の合成樹脂板１４の数枚を表面板１５と裏面板１６との間に綴じ込んだ数冊と写真帳１７は立設した状態で机上又は本立て等に保管整理することができるものであり、又一般に販売されているアルバムを購入しようとすると高価であり、安価に購入出来ず記念とする写真１８を紛失する等の支障を来たすような障害を安価且つ容易に解決することができる優れた実用的効果を奏するものである。
【考案を実施するための最良の形態】
【００１１】
以下、この考案の実施の形態を図１〜図１０に基いて説明する。
【実施例１】
【００１２】
この考案は、弾力、ねばり、耐久力を有した強靭紙１を素材として背表紙板２の両側に第１折線３，３、第２折線４，４、第３折線５，５を介して表表紙板６，６、表裏紙板７，７、折込紙舌板８，８を連設形成すると共に表表紙板６，６の上下に第４折線９，９、９，９を介して折込紙横板１０，１０、１０，１０を連設形成し、且つ表表紙板６，６の上下に第４折線９，９、９，９を介して連設形成した折込紙横板１０，１０、１０，１０は背表紙板２の両側に設けた第１折線３，３の箇所まで位置しない切欠部１１，１１、１１，１１を有して表表紙板６，６の横幅よりも短い寸法幅イ，イ、イ，イに形成し、且つ又第２折線４，４を介して表表紙板６，６に連設形成した表裏紙板７，７の横幅である第２折線４，４と第３折線５，５までの寸法は折込紙横板１０の寸法幅イと同一の寸法に形成して扁平状保持具板体１９を構成したものであり、折線の形成は扁平状保持具板体１９の打抜き等裁断機による形成時に強靭紙１の表面を切込んだ切込み筋又は屈折筋を設け、この折線を介しての折曲が容易にできるようにしたものである。
【００１３】
又、背表紙板２の背面には表面に貼って剥がせる吸着シート１２を備えた吸着層２４を設けたことによって写真帳１７の数冊の取付け時に組立てた写真帳保持具２０に安定良く吸着装着することができるものである。
【００１４】
又、第４折線９，９、９，９を介して折込紙横板１０，１０、１０，１０を内方に折込むと共に第２折線４，４を介して表裏紙板７，７を内方に折込み、又更に第３折線５，５を介して折込紙舌板８，８を内方に折込むと共に該折込紙舌板８，８を折込紙横板１０，１０、１０，１０の折込に伴って形成された表表紙板６，６と折込紙横板１０，１０、１０，１０との間に形成された間隙部１３，１３、１３，１３に挿入することによって表表紙板６，６と表裏紙板７，７との間に写真帳取付挿入部２２，２２が形成され、更に第１折線３，３を介して表表紙板６，６を内方に折曲し形成し写真帳保持具２０を組立てるようにしたものであり、この組立てた写真帳保持具２０の背表紙板２に設けた表示部２１に必要事項を記入して写真帳１７の数冊を取付け写真帳保持具２０は数冊の写真帳１７を立設した状態で机上又は本立て等に整理整頓を的確に行うことができるようにしたものである。
【図面の簡単な説明】
【００１５】
【図１】扁平状保持具板体の平面図である。
【図２】写真帳保持具の組立時を示し、表裏紙板、折込紙舌板、吸着シートの一部を切欠した斜視図である。
【図３】吸着シートの一部を切欠した写真帳保持具の背面展開図である。
【図４】図３に於けるＡ−Ａ断面図である。
【図５】図３に於けるＢ−Ｂ断面図である。
【図６】写真帳保持具の中央拡大縦断面図である。
【図７】この考案の使用状態で立設しての使用状態を示した斜視図である。
【図８】図７に於けるＡ−Ａ断面図である。
【図９】写真帳の斜視図である。
【図１０】写真帳の表面板と裏面板とを重ね合わせると共に透明の合成樹脂板に写真を装着した状態を示した斜視図である。
【符号の説明】
【００１６】
１  強靭紙
２  背表紙板
３  第１折線
４  第２折線
５  第３折線
６  表表紙板
７  表裏紙板
８  折込紙舌板
９  第４折線
１０  折込紙横板
１１  切欠部
１２  吸着シート
１３  間隙部
１４  透明の合成樹脂板
１５  表面板
１６  裏面板
１７  写真帳
１８  写真
１９  扁平状保持具板体
２０  写真帳保持具
２１  表示部
２２  写真帳取付挿入部
２３  基端折曲部
２４  吸着層
イ  寸法幅
【図１】
0003138135.tif 000003
【図２】
0003138135.tif 000004
【図３】
0003138135.tif 000005
【図４】
0003138135.tif 000006
【図５】
0003138135.tif 000007
【図６】
0003138135.tif 000008
【図７】
0003138135.tif 000009
【図８】
0003138135.tif 000010
【図９】
0003138135.tif 000011
【図１０】
0003138135.tif 000012